【手続補正書】
【提出日】令和3年10月27日(2021.10.27)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）によって実施されるワイヤレス通信の方法であって、
キャリアのための初期絶対周波数、
前記キャリアのためのトーン境界オフセット値、
前記キャリア中に含まれるリソースブロックの数、または、
基準周波数からの周波数オフセット、
のうちの少なくとも１つを識別するキャリア情報を受信することと、
前記キャリア情報と前記ＵＥのサブキャリア間隔とのみを使用して、前記キャリアの構成を決定することと、ここにおいて、前記構成を決定することは、物理チャネル、トーン境界オフセット、チャネル開始、および／またはチャネル終了を決定することを備える、
を備える、方法。
【請求項２】
前記基準周波数は、前記キャリアのエッジから特定の距離を置いたところに位置し、前記特定の距離は、前記ＵＥの最大のサポートされるチャネル帯域幅よりも広い、請求項１に記載の方法。
【請求項３】
前記基準周波数に少なくとも部分的に基づいて、
前記キャリアのための擬似雑音シーケンス、
前記キャリアのためのリソースブロックグループ、
前記キャリアのためのプリコーダリソースブロックグラニュラリティ、または、
前記キャリアのためのサウンディング基準信号のロケーション、
のうちの少なくとも１つを決定すること、
をさらに備える、請求項１に記載の方法。
【請求項４】
前記キャリア情報に少なくとも部分的に基づいて、および帯域幅部分の開始リソースブロックまたは前記帯域幅部分の終了リソースブロックのうちの少なくとも１つを識別する情報に少なくとも部分的に基づいて、前記帯域幅部分を決定すること、
をさらに備える、請求項１に記載の方法。
【請求項５】
前記帯域幅部分の前記開始リソースブロックまたは前記帯域幅部分の前記終了リソースブロックのうちの少なくとも１つは、前記物理チャネルに対して定義される、請求項４に記載の方法。
【請求項６】
前記帯域幅部分の前記開始リソースブロックまたは前記帯域幅部分の前記終了リソースブロックのうちの少なくとも１つは、前記基準周波数に対して定義される、請求項４に記載の方法。
【請求項７】
前記キャリアはダウンリンクキャリアであり、前記キャリア情報はダウンリンクキャリア情報であり、
前記ＵＥが周波数分割複信に関連付けられるとき、前記方法は、
アップリンクキャリアのためのアップリンクキャリア情報を受信することと、
前記アップリンクキャリア情報に少なくとも部分的に基づいて、前記アップリンクキャリアの構成を決定することと、
をさらに備える、請求項１に記載の方法。
【請求項８】
前記ＵＥは、前記アップリンクキャリアが、
前記ダウンリンクキャリアとは異なるサブキャリア間隔、または、
前記ダウンリンクキャリアとは異なるチャネル帯域幅、
のうちの少なくとも１つに関連付けられることに少なくとも部分的に基づいて、前記アップリンクキャリア情報を受信するように構成された、請求項７に記載の方法。
【請求項９】
前記キャリアのための同期信号ブロックは、前記物理チャネルのための同期ラスタによって定義されるロケーション以外のロケーションにおいて受信される、請求項１に記載の方法。
【請求項１０】
前記初期絶対周波数を示すチャネル番号を受信すること、または、
前記初期絶対周波数において同期チャネルを検出すること、
のうちの１つに少なくとも部分的に基づいて、前記初期絶対周波数を識別すること、
をさらに備える、請求項１に記載の方法。
【請求項１１】
ワイヤレス通信のためのユーザ機器（ＵＥ）であって、
メモリと、
前記メモリに結合された１つまたは複数のプロセッサと、
を備え、前記メモリおよび前記１つまたは複数のプロセッサは、
キャリアのための初期絶対周波数、
前記キャリアのためのトーン境界オフセット値、
前記キャリア中に含まれるリソースブロックの数、または、
基準周波数からの周波数オフセット、
のうちの少なくとも１つを識別するキャリア情報を受信することと、
前記キャリア情報と前記ＵＥのサブキャリア間隔とのみを使用して、前記キャリアの構成を決定することと、ここにおいて、前記構成を決定することは、物理チャネル、トーン境界オフセット、チャネル開始、および／またはチャネル終了を決定することを備える、
を行うように構成された、ユーザ機器（ＵＥ）。
【請求項１２】
基地局によって実施されるワイヤレス通信の方法であって、
ユーザ機器（ＵＥ）のサブキャリア間隔に少なくとも部分的に基づいて、前記ＵＥのためのキャリアの構成を決定することと、
前記構成を識別するキャリア情報を送信することと、
を備え、前記キャリア情報は、
前記キャリアのための初期絶対周波数、
前記キャリアのためのトーン境界オフセット値、
前記キャリア中に含まれるリソースブロックの数、または、
基準周波数からの周波数オフセット、
のうちの少なくとも１つを含む、方法。
【請求項１３】
前記基準周波数は、前記キャリアのエッジから特定の距離を置いたところに位置し、前記特定の距離は、前記ＵＥの最大のサポートされるチャネル帯域幅よりも広い、請求項１２に記載の方法。
【請求項１４】
帯域幅部分の開始リソースブロックまたは前記帯域幅部分の終了リソースブロックのうちの少なくとも１つを識別する情報を送信すること、
をさらに備え、前記キャリア情報は、前記帯域幅部分のためのものである、請求項１３に記載の方法。
【請求項１５】
ワイヤレス通信のための基地局であって、
メモリと、
前記メモリに結合された１つまたは複数のプロセッサと、
を備え、前記メモリおよび前記１つまたは複数のプロセッサは、
ユーザ機器（ＵＥ）のサブキャリア間隔に少なくとも部分的に基づいて、前記ＵＥのためのキャリアの構成を決定することと、
前記構成を識別するキャリア情報を送信することと、
を行うように構成され、前記キャリア情報は、
前記キャリアのための初期絶対周波数、
前記キャリアのためのトーン境界オフセット値、
前記キャリア中に含まれるリソースブロックの数、または、
基準周波数からの周波数オフセット、
のうちの少なくとも１つを含む、基地局。
【手続補正２】
【補正対象書類名】明細書
【補正対象項目名】０１１０
【補正方法】変更
【補正の内容】
【０１１０】
[0118]本明細書で使用されるいかなる要素、行為、または命令も、明示的にそのように説明されない限り、重要または必須と解釈されるべきではない。また、本明細書で使用される冠詞「ａ」および「ａｎ」は、１つまたは複数の項目を含むものであり、「１つまたは複数」と互換的に使用され得る。さらに、本明細書で使用される「セット」および「グループ」という用語は、１つまたは複数の項目（たとえば、関係する項目、無関係の項目、関係する項目と無関係の項目の組合せなど）を含むものであり、「１つまたは複数」と互換的に使用され得る。１つの項目のみが意図される場合、「１つ」という用語または同様の言い回しが使用される。また、本明細書で使用される「有する（ｈａｓ）」、「有する（ｈａｖｅ）」、「有する（ｈａｖｉｎｇ）」などの用語は、オープンエンド用語であるものとする。さらに、「に基づく」という句は、別段に明記されていない限り、「に少なくとも部分的に基づく」を意味するものである。
以下に本願の出願当初の特許請求の範囲に記載された発明を付記する。
［Ｃ１］
ユーザ機器（ＵＥ）によって実施されるワイヤレス通信の方法であって、
キャリアのための初期絶対周波数、
前記キャリアのためのトーン境界オフセット値、
前記キャリア中に含まれるリソースブロックの数、または、
基準周波数からの周波数オフセット、
のうちの少なくとも１つを識別するキャリア情報を受信することと、
前記キャリア情報と前記ＵＥのサブキャリア間隔とに少なくとも部分的に基づいて、前記キャリアの構成を決定することと、
を備える、方法。
［Ｃ２］
前記基準周波数は、前記キャリアのエッジから特定の距離を置いたところに位置し、前記特定の距離は、前記ＵＥの最大のサポートされるチャネル帯域幅よりも広い、Ｃ１に記載の方法。
［Ｃ３］
前記基準周波数に少なくとも部分的に基づいて、
前記キャリアのための擬似雑音シーケンス、
前記キャリアのためのリソースブロックグループ、
前記キャリアのためのプリコーダリソースブロックグラニュラリティ、または、
前記キャリアのためのサウンディング基準信号のロケーション、
のうちの少なくとも１つを決定すること、
をさらに備える、Ｃ１に記載の方法。
［Ｃ４］
前記キャリア情報に少なくとも部分的に基づいて、および帯域幅部分の開始リソースブロックまたは前記帯域幅部分の終了リソースブロックのうちの少なくとも１つを識別する情報に少なくとも部分的に基づいて、前記帯域幅部分を決定すること、
をさらに備える、Ｃ１に記載の方法。
［Ｃ５］
前記帯域幅部分の前記開始リソースブロックまたは前記帯域幅部分の前記終了リソースブロックのうちの少なくとも１つは、物理チャネルに対して定義される、Ｃ４に記載の方法。
［Ｃ６］
前記帯域幅部分の前記開始リソースブロックまたは前記帯域幅部分の前記終了リソースブロックのうちの少なくとも１つは、前記基準周波数に対して定義される、Ｃ４に記載の方法。
［Ｃ７］
前記キャリアはダウンリンクキャリアであり、前記キャリア情報はダウンリンクキャリア情報であり、
前記ＵＥが周波数分割複信に関連付けられるとき、前記方法は、
アップリンクキャリアのためのアップリンクキャリア情報を受信することと、
前記アップリンクキャリア情報に少なくとも部分的に基づいて、前記アップリンクキャリアの構成を決定することと、
をさらに備える、Ｃ１に記載の方法。
［Ｃ８］
前記ＵＥは、前記アップリンクキャリアが、
前記ダウンリンクキャリアとは異なるサブキャリア間隔、または、
前記ダウンリンクキャリアとは異なるチャネル帯域幅、
のうちの少なくとも１つに関連付けられることに少なくとも部分的に基づいて、前記アップリンクキャリア情報を受信するように構成された、Ｃ７に記載の方法。
［Ｃ９］
前記キャリアのための同期信号ブロックは、前記物理チャネルのための同期ラスタによって定義されるロケーション以外のロケーションにおいて受信される、Ｃ１に記載の方法。
［Ｃ１０］
前記初期絶対周波数を示すチャネル番号を受信すること、または、
前記初期絶対周波数において同期チャネルを検出すること、
のうちの１つに少なくとも部分的に基づいて、前記初期絶対周波数を識別すること、
をさらに備える、Ｃ１に記載の方法。
［Ｃ１１］
ワイヤレス通信のためのユーザ機器（ＵＥ）であって、
メモリと、
前記メモリに結合された１つまたは複数のプロセッサと、
を備え、前記メモリおよび前記１つまたは複数のプロセッサは、
キャリアのための初期絶対周波数、
前記キャリアのためのトーン境界オフセット値、
前記キャリア中に含まれるリソースブロックの数、または、
基準周波数からの周波数オフセット、
のうちの少なくとも１つを識別するキャリア情報を受信することと、
前記キャリア情報と前記ＵＥのサブキャリア間隔とに少なくとも部分的に基づいて、前記キャリアの構成を決定することと、
を行うように構成された、ユーザ機器（ＵＥ）。
［Ｃ１２］
前記基準周波数は、前記キャリアのエッジから特定の距離を置いたところに位置し、前記特定の距離は、前記ＵＥの最大のサポートされるチャネル帯域幅よりも広い、Ｃ１１に記載のＵＥ。
［Ｃ１３］
前記１つまたは複数のプロセッサは、
前記基準周波数に少なくとも部分的に基づいて、
前記キャリアのための擬似雑音シーケンス、
前記キャリアのためのリソースブロックグループ、
前記キャリアのためのプリコーダリソースブロックグラニュラリティ、または、
前記キャリアのためのサウンディング基準信号のロケーション、
のうちの少なくとも１つを決定する、
ようにさらに構成された、Ｃ１１に記載のＵＥ。
［Ｃ１４］
前記１つまたは複数のプロセッサは、
前記キャリア情報に少なくとも部分的に基づいて、および帯域幅部分の開始リソースブロックまたは前記帯域幅部分の終了リソースブロックのうちの少なくとも１つを識別する情報に少なくとも部分的に基づいて、前記帯域幅部分を決定する、
ようにさらに構成された、Ｃ１１に記載のＵＥ。
［Ｃ１５］
前記帯域幅部分の前記開始リソースブロックまたは前記帯域幅部分の前記終了リソースブロックのうちの少なくとも１つは、物理チャネルに対して定義される、Ｃ１４に記載のＵＥ。
［Ｃ１６］
前記帯域幅部分の前記開始リソースブロックまたは前記帯域幅部分の前記終了リソースブロックのうちの少なくとも１つは、前記基準周波数に対して定義される、Ｃ１４に記載のＵＥ。
［Ｃ１７］
前記キャリアはダウンリンクキャリアであり、前記キャリア情報はダウンリンクキャリア情報であり、
前記ＵＥが周波数分割複信に関連付けられるとき、前記１つまたは複数のプロセッサは、
アップリンクキャリアのためのアップリンクキャリア情報を受信することと、
前記アップリンクキャリア情報に少なくとも部分的に基づいて、前記アップリンクキャリアの構成を決定することと、
を行うようにさらに構成された、Ｃ１１に記載のＵＥ。
［Ｃ１８］
前記ＵＥは、前記アップリンクキャリアが、
前記ダウンリンクキャリアとは異なるサブキャリア間隔、または、
前記ダウンリンクキャリアとは異なるチャネル帯域幅、
のうちの少なくとも１つに関連付けられることに少なくとも部分的に基づいて、前記アップリンクキャリア情報を受信するように構成された、Ｃ１７に記載のＵＥ。
［Ｃ１９］
前記キャリアのための同期信号ブロックは、前記物理チャネルのための同期ラスタによって定義されるロケーション以外のロケーションにおいて受信される、Ｃ１１に記載のＵＥ。
［Ｃ２０］
前記１つまたは複数のプロセッサは、
前記初期絶対周波数を示すチャネル番号を受信すること、または、
前記初期絶対周波数において同期チャネルを検出すること、
のうちの１つに少なくとも部分的に基づいて、前記初期絶対周波数を識別する、Ｃ１１に記載のＵＥ。
［Ｃ２１］
基地局によって実施されるワイヤレス通信の方法であって、
ユーザ機器（ＵＥ）のサブキャリア間隔に少なくとも部分的に基づいて、前記ＵＥのためのキャリアの構成を決定することと、
前記構成を識別するキャリア情報を送信することと、
を備え、前記キャリア情報は、
前記キャリアのための初期絶対周波数、
前記キャリアのためのトーン境界オフセット値、
前記キャリア中に含まれるリソースブロックの数、または、
基準周波数からの周波数オフセット、
のうちの少なくとも１つを含む、方法。
［Ｃ２２］
前記基準周波数は、前記キャリアのエッジから特定の距離を置いたところに位置し、前記特定の距離は、前記ＵＥの最大のサポートされるチャネル帯域幅よりも広い、Ｃ２１に記載の方法。
［Ｃ２３］
帯域幅部分の開始リソースブロックまたは前記帯域幅部分の終了リソースブロックのうちの少なくとも１つを識別する情報を送信すること、
をさらに備え、前記キャリア情報は、前記帯域幅部分のためのものである、Ｃ２１に記載の方法。
［Ｃ２４］
前記帯域幅部分の前記開始リソースブロックまたは前記帯域幅部分の前記終了リソースブロックのうちの少なくとも１つは、物理チャネルに対して定義される、Ｃ２３に記載の方法。
［Ｃ２５］
前記帯域幅部分の前記開始リソースブロックまたは前記帯域幅部分の前記終了リソースブロックのうちの少なくとも１つは、前記基準周波数に対して定義される、Ｃ２３に記載の方法。
［Ｃ２６］
前記キャリアはダウンリンクキャリアであり、前記キャリア情報はダウンリンクキャリア情報であり、
前記ＵＥが周波数分割複信に関連付けられるとき、前記方法は、
アップリンクキャリアのためのアップリンクキャリア情報を送信すること、
をさらに備える、Ｃ２３に記載の方法。
［Ｃ２７］
前記基地局は、前記アップリンクキャリアが、
前記ダウンリンクキャリアとは異なるサブキャリア間隔、または、
前記ダウンリンクキャリアとは異なるチャネル帯域幅、
のうちの少なくとも１つに関連付けられることに少なくとも部分的に基づいて、前記アップリンクキャリア情報を送信するように構成された、Ｃ２６に記載の方法。
［Ｃ２８］
前記キャリアのための同期信号ブロックは、前記物理チャネルのための同期ラスタによって定義されるロケーション以外のロケーションにおいて受信される、Ｃ２１に記載の方法。
［Ｃ２９］
前記初期絶対周波数は、
前記初期絶対周波数を示すチャネル番号、または、
前記初期絶対周波数における同期チャネル、
のうちの１つに少なくとも部分的に基づいて識別される、Ｃ２１に記載の方法。
［Ｃ３０］
ワイヤレス通信のための基地局であって、
メモリと、
前記メモリに結合された１つまたは複数のプロセッサと、
を備え、前記メモリおよび前記１つまたは複数のプロセッサは、
ユーザ機器（ＵＥ）のサブキャリア間隔に少なくとも部分的に基づいて、前記ＵＥのためのキャリアの構成を決定することと、
前記構成を識別するキャリア情報を送信することと、
を行うように構成され、前記キャリア情報は、
前記キャリアのための初期絶対周波数、
前記キャリアのためのトーン境界オフセット値、
前記キャリア中に含まれるリソースブロックの数、または、
基準周波数からの周波数オフセット、
のうちの少なくとも１つを含む、基地局。
［Ｃ３１］
前記基準周波数は、前記キャリアのエッジから特定の距離を置いたところに位置し、前記特定の距離は、前記ＵＥの最大のサポートされるチャネル帯域幅よりも広い、Ｃ３０に記載の基地局。
［Ｃ３２］
前記１つまたは複数のプロセッサは、
帯域幅部分の開始リソースブロックまたは前記帯域幅部分の終了リソースブロックのうちの少なくとも１つを識別する情報を送信する、
ようにさらに構成され、前記キャリア情報は、前記帯域幅部分のためのものである、Ｃ３０に記載の基地局。
［Ｃ３３］
前記帯域幅部分の前記開始リソースブロックまたは前記帯域幅部分の前記終了リソースブロックのうちの少なくとも１つは、物理チャネルに対して定義される、Ｃ３２に記載の基地局。
［Ｃ３４］
前記帯域幅部分の前記開始リソースブロックまたは前記帯域幅部分の前記終了リソースブロックのうちの少なくとも１つは、前記基準周波数に対して定義される、Ｃ３２に記載の基地局。
［Ｃ３５］
前記キャリアはダウンリンクキャリアであり、前記キャリア情報はダウンリンクキャリア情報であり、
前記ＵＥが周波数分割複信に関連付けられるとき、前記１つまたは複数のプロセッサは、
アップリンクキャリアのためのアップリンクキャリア情報を送信する、
ようにさらに構成された、Ｃ３２に記載の基地局。
［Ｃ３６］
前記基地局は、前記アップリンクキャリアが、
前記ダウンリンクキャリアとは異なるサブキャリア間隔、または、
前記ダウンリンクキャリアとは異なるチャネル帯域幅、
のうちの少なくとも１つに関連付けられることに少なくとも部分的に基づいて、前記アップリンクキャリア情報を送信するように構成された、Ｃ３５に記載の基地局。
［Ｃ３７］
前記キャリアのための同期信号ブロックは、前記物理チャネルのための同期ラスタによって定義されるロケーション以外のロケーションにおいて受信される、Ｃ３０に記載の基地局。
［Ｃ３８］
前記初期絶対周波数は、
前記初期絶対周波数を示すチャネル番号、または
前記初期絶対周波数における同期チャネル、
のうちの１つに少なくとも部分的に基づいて識別される、Ｃ３０に記載の基地局。